(57)【要約】【課題】  綜絖枠の下方で織機の幅方向に延在する開口軸であって複数枚の綜絖枠の各々に対応して設けられると共に開口レバーを介して対応する綜絖枠と連結された複数本の開口軸と、該開口軸に固定された揺動レバーと連結されて該揺動レバーを揺動駆動する駆動装置と、内装された軸受を介して前記開口軸を回転可能に支持する軸受装置とを含む形式の織機の開口装置において、開口軸の撓みを可及的に無くすことができる開口軸の支持構造を提供する。【解決手段】  上記形式の織機の開口装置において、軸受装置が、軸受が嵌挿される貫通孔を有する軸受部と、開口軸の軸線方向に延在すると共に一端が織機フレームの内側の側面に固定されて他端側で軸受部を支持する支持部とを含む。【選択図】図２
2010281017.tif 000002
【特許請求の範囲】
【請求項１】
綜絖枠の下方で織機の幅方向に延在する開口軸であって複数枚の綜絖枠の各々に対応して設けられると共に開口レバーを介して対応する綜絖枠と連結された複数本の開口軸と、該開口軸に固定された揺動レバーと連結されて該揺動レバーを揺動駆動する駆動装置と、軸受ケースを主体として該軸受ケースに内装された軸受を介して前記開口軸を回転可能に支持する軸受装置とを含む織機の開口装置において、
前記軸受ケースは、前記軸受が嵌挿される貫通孔を有する軸受部と、前記開口軸の軸線方向に延在すると共に一端が織機フレームの内側の側面に固定されて他端側で前記軸受部を支持する支持部とを含む、
ことを特徴とする織機の開口装置。
【請求項２】
前記支持部は、開口軸の外周面周りにおいて、上下方向における開口軸の中心よりも上方の位置及び下方の位置の少なくとも２位置で前記軸受部を支持する、
ことを特徴とする請求項１に記載の織機の開口装置。
【請求項３】
前記軸受部は、前記開口軸の軸線方向に離間させて配置した一対の軸受を有し、該一対の軸受は、前記開口レバーの両側に位置するように配置される、
ことを特徴とする請求項１又は請求項２に記載の織機の開口装置。
【請求項４】
前記織機が水噴射式織機であって、
前記軸受部が、少なくとも前記軸受が配設される前記貫通孔への水の侵入を防止する遮水構造を有する、
ことを特徴とする請求項１乃至請求項３のいずれか一項に記載の織機の開口装置。
【発明の詳細な説明】
【技術分野】
【０００１】
本発明は、織機の開口装置、特に、綜絖枠の下方で織機の幅方向に延在する開口軸であって複数枚の綜絖枠の各々に対応して設けられると共に開口レバーを介して対応する綜絖枠と連結された複数本の開口軸と、該開口軸に固定された揺動レバーと連結されて該揺動レバーを揺動駆動する駆動装置と、内装された軸受を介して前記開口軸を回転可能に支持する軸受装置とを含む形式の織機の開口装置に関するものである。
【背景技術】
【０００２】
前記形式の開口装置として、特許文献１に開示されたものがある。この特許文献１に開示された開口装置では、綜絖枠がターンバックル（連結ロッド）及び開口レバーを介して開口軸と連結されている。開口軸は、左右の織機フレーム（以下、単に「フレーム」とも言う。）間における綜絖枠の下方（真下よりも織前側）において、織機の幅方向に延在する様に設けられている。また、開口軸は、綜絖枠の数に応じて複数本設けられている。そして、幅方向における綜絖枠の両端部の下面に連結された連結ロッドが、開口軸に対し相対回転不能に組み付けられた開口レバーと連結されている。この構成により、各綜絖枠は、連結ロッド及び開口レバーを介し、対応する開口軸によって上下方向の位置が支持されている。
【０００３】
また、特許文献１に開示された開口装置では、開口シャフトを回動するための構成として、積極カム式の駆動装置が採用されている。このカム駆動装置は、左右のフレームの一方の側に設けられており、カム軸の回転に伴って回転駆動される一対のカム板から成る確動カムの作用により、カムフォロアを介して各カム板の周面に当接するカムレバーが揺動駆動され、カムレバーに固定されたカムレバー軸が回動駆動される。それに伴い、リンク機構を介してカムレバー軸と連結された開口軸が回動駆動され、開口軸の回動に伴う開口レバーの揺動運動により、綜絖枠が上下方向に運動する。
【０００４】
ところで、特許文献１には明示されていないが、開口軸は、その両端部において、織機フレームに対し軸受等を介して回転自在に支持されている。しかし、開口軸は長尺の部材であり、加えて、開口軸には綜絖枠と連結される開口レバーを介して綜絖枠等の荷重が掛かるため、両端部の支持だけでは開口軸に撓みが生じてしまう。そして、開口軸に撓みが生じると、綜絖枠の挙動に影響を及ぼして所望の開口運動（開口量等）が得られないといった問題が生じてしまう。
【０００５】
そこで、織機においては、軸受及び軸受を支持するブラケット（軸受ケース）等からなる軸受装置を織機の固定部に取り付け、この軸受装置により開口レバーの近傍において開口軸を支持することが行われている。また、従来の織機において、軸受装置は、左右のフレーム間に架設された梁上に設けられるのが一般的である。即ち、従来の織機においては、両端部をフレームによって支持すると共に、開口レバーの近傍を、軸受装置を介し、左右のフレーム間に架設されて固定配置された支持体としての梁によって支持する、という開口軸の支持構造を採用している。
【０００６】
しかし、前記の様な従来の開口軸の支持構造においても、織機の高速稼働時や高負荷での稼働時において、所望の開口運動が得られない問題が生じる。即ち、織機を高速や高負荷状態で稼働させた場合、開口運動に伴って開口軸に掛かる負荷が大きくなる。その場合において、従来の織機では、荷重点である開口レバー付近が長尺の梁で支持されているため、上記負荷や綜絖枠の荷重（以下、合せて「負荷等」と言う。）により梁に撓みが生じてしまう。また、その他にも、織機稼働時の振動等の影響で梁に撓みが生じる場合もある。そして、支持体である梁に撓みが生じると、それに伴って梁に支持されている開口軸にも撓みが生じるため、前述の場合と同様に所望の開口運動が得られないといった問題が生じてしまう。
【先行技術文献】
【特許文献】
【０００７】
【特許文献１】特開昭５８−１３２１３５号公報
【発明の概要】
【発明が解決しようとする課題】
【０００８】
そこで、本発明の課題は、前述した形式の織機の開口装置において、開口軸の撓みを可及的に無くすことができる開口軸の支持構造を提供することにある。
【課題を解決するための手段】
【０００９】
前記の課題の下に、本発明は、前述した形式の織機の開口装置において、軸受装置が、軸受が嵌挿される貫通孔を有する軸受部と、開口軸の軸線方向に延在すると共に一端が織機フレームの内側の側面に固定されて他端側で軸受部を支持する支持部とを含むことを特徴とする。
【００１０】
なお、前記における「織機フレームの内側」とは、織機の幅方向における経糸列の中心側、即ち、織機フレームに対する経糸列側の位置を指す。また、本明細書におけるフレームの外側とは、上記とは逆、即ち、フレームに対し、織機の幅方向における経糸列の中心よりも離間する側の位置を指す。因みに、「織機の幅方向」とは、綜絖枠の幅方向（長手方向）と平行な方向を指す（以下では、単に「幅方向」とも言う。）。
【００１１】
本発明による織機の開口装置においては、軸受装置における支持部を、開口軸の外周面周りにおいて上下方向における開口軸の中心よりも上方の位置及び下方の位置の少なくとも２位置で前記軸受部を支持するものとしてもよい。
【００１２】
また、軸受装置における軸受部を、開口軸の軸線方向に離間させて配置した一対の軸受を有し、その一対の軸受が開口レバーの両側に位置するように配置されるものとしてもよい。
【００１３】
さらに、本発明の開口装置を水噴射式織機に適用する場合には、軸受部が、少なくとも軸受が嵌挿される貫通孔への水の侵入を防止する遮水構造を有するものとするのが好ましい。
【発明の効果】
【００１４】
本発明による織機の開口装置によれば、荷重点である開口レバーの位置の近傍で開口軸を支持する軸受装置が、その支持部において、開口軸を介して掛かる負荷等が作用しても撓み等の変形が生じ難い織機フレームに支持されている。そのため、従来の支持構造の様な支持体（梁）の変形に起因する開口軸の撓みは生じ難い。従って、織機の高速や高負荷状態での稼働時においても、開口軸の撓みの発生が可及的に抑えられ、上記の様な稼働時においても所望の開口運動を得ることができる。
【００１５】
また、軸受装置における支持部が、開口軸の外周面周りにおいて上下方向における開口軸の中心よりも上方の位置及び下方の位置の少なくとも２位置で軸受部を支持する構成とすれば、支持部が一部のみで軸受部を支持する構成と比べ、支持部全体としての支持剛性を高めることができ、支持部による軸受部の支持強度を高めることができる。それにより、軸受部を介して支持部に掛かる負荷等に起因する支持部の変形を小さく又は無くすことができ、支持部の変形に伴う軸受部の変位を抑え、軸受部の変位に伴う開口軸の撓みを可及的に防止することができる。
【００１６】
さらに、軸受装置が、その軸受部において、開口軸の軸線方向に離間させて配置した一対の軸受により、荷重点である開口レバーの位置の両側で開口軸を支持する構成とすれば、軸受装置自体の支持強度が増すため、負荷等による開口軸の撓みをより効果的に抑えることができる。
【００１７】
また、本発明による開口装置を水噴射式織機に適用する場合において、軸受部が遮水構造を有するものとすることにより、軸受装置内の軸受の長寿命化を図ることができる。即ち、水噴射織機の場合、左右の織機フレームの内側の領域では、緯入れのために緯入れノズルから噴射される水が飛散する。そのため、その領域に存在する軸受装置も、その飛散する水に晒されることとなる。そして、軸受部に水が侵入すると、軸受部に内装された軸受は、水の影響によって潤滑状態が悪化し、早期に性能が低下して寿命が短いものとなってしまう。これに対し、軸受部が遮水構造を有するものとすれば、軸受に対する水の影響を無くすか、又は軽減することができ、軸受の寿命を向上させて長寿命化を図ることができる。
【図面の簡単な説明】
【００１８】
【図１】本発明による開口装置の一実施形態を示す斜視図。
【図２】本発明による開口装置の一実施形態を示す断面正面図。
【図３】本発明による開口装置の一実施形態を示す一部断面平面図。
【図４】本発明による開口装置の一実施形態における要部を示す断面正面図。
【図５】本発明が適用される開口装置の一例を示す斜視図。
【図６】本発明による開口装置の要部に関する他の実施形態を示す側面断面図。
【図７】本発明による開口装置の要部に関する他の実施形態を示す正面断面図。
【発明を実施するための形態】
【００１９】
図１〜５は、本発明による織機の開口装置の一実施形態を示すものであって、織機を織布巻取側から見て右側の織機フレーム１の周辺を示している。また、図示の織機は、綜絖枠２を４枚備えると共にそれらを２枚ずつの２組に分け、開口装置３によって綜絖枠２の各組を互いに逆方向に上下動させることにより、図示しない綜絖を介して各綜絖枠２に支持された多数本の経糸（図示せず）から成る経糸列に開口運動を与えるものとする。
【００２０】
開口装置３は、綜絖枠２の前記各組のそれぞれに対応して設けられた２本の開口軸１０、１０と、開口軸１０、１０を回動駆動するための駆動装置としてのカム式の駆動装置（以下、単に「カム駆動装置」と言う。）２０であって各開口軸１０、１０に対応する２本のカムレバー軸２１、２１を含むカム駆動装置２０と、各開口軸１０、１０とそれに対応するカムレバー軸２１、２１とを連結する一対のリンク機構３０、３０とを備える。
【００２１】
２本の開口軸１０、１０は、上下方向に関し綜絖枠２の下方であって前後方向（経糸方向）に関し綜絖枠２の真下よりも織前Ｆ側の位置で、上下方向に並べて設けられている。また、両開口軸１０、１０は、フレーム１の内側の側面に固定された第１の軸受装置４０及びフレーム１の外側の側面に固定された第２の軸受装置５０によって支持されている。即ち、各開口軸１０は、フレーム１を貫通した状態で設けられ、フレーム１に固定された第１、第２の軸受装置４０、５０に内装された複数の軸受により、フレーム１に対し回転自在に支持されている。さらに、各開口軸１０のカム駆動装置２０側の端部は、フレーム１の外側の第２の軸受装置５０よりも突出する様に延在している。
【００２２】
各開口軸１０には、幅方向における綜絖枠２の両端部のそれぞれに対応した位置において、各開口軸１０に形成されたキー１０ａを介し、開口レバー１４が相対回転不能に組み付けられている。そして、各開口レバー１４には連結ロッド１４ａが立設されており、各連結ロッド１４ａは、その先端において綜絖枠２の下面に取り付けられた連結具１４ｂに連結されている。従って、各綜絖枠２は、幅方向における両端部において、対応する開口軸１０に取り付けられた一対の開口レバー１４により、連結ロッド１４ａを介して支持されている。
【００２３】
因みに、図示の例において、４枚の綜絖枠２を織前Ｆ側から第１枠、・・、第４枠とすると、上側の開口軸１０は第１、３枠に対応し、下側の開口軸１０は第２、第４枠に対応している。従って、第１、３枠が１組となって同じ方向で上下運動し、第２、４枠が１組となって第１、３枠とは逆の方向で上下運動する。また、上側及び下側の各開口軸１０、１０に対する開口レバー１４の取り付け位置は、各開口軸１０毎に幅方向において異なる位置に設定されている。
【００２４】
カム駆動装置２０は、カムボックス２９と、このカムボックス２９に内装された一対のカム板２３、２３及びカムフォロアを介して両カム板２３、２３に当接する２つのカムレバー２５、２５を有するカム機構とを含む。
【００２５】
カムボックス２９は、幅方向における反経糸列側の側面部が開放された幅方向の断面がコ字状の筺体２９ａと、その筺体２９ａの開放部に取り付けられる蓋２９ｂとで構成されている。言い換えると、カムボックス２９の幅方向における反経糸列側の側壁は、取り外し可能な蓋２９ｂで形成されている。さらに、カムボックス２９は、筺体２９ａの周面の蓋２９ｂに隣接する位置に、複数の取付け部２９ｃ、２９ｃ、・・を有している。そして、前記のカム板２３、２３及びカムレバー２５、２５がこのカムボックス２９に内装されている。
【００２６】
なお、図示の例において、カムボックス２９は、織機の幅方向に関し、その大部分がフレーム１の範囲内に位置にする様に設けられている。詳しくは、フレーム１におけるカムボックス２９が設けられる位置には、その内外の両側板に対しカムボック２９が嵌装される貫通孔が形成されており、その貫通孔を介し、カムボックス２９がフレーム１に対し嵌挿された状態で設置されている。
【００２７】
カム板２３、２３は、カムボックス２９内において、カム軸２７によって支持されている。このカム軸２７は、カムボックス２９に対し回転可能に支持されており、幅方向に延在してカムボックス２１の蓋２９ｂを貫通し、カムボックス２９からフレーム１の外側方向へ向けて突出する様に設けられている。そして、カム軸２７は、その突出側の先端部に連結された後述の駆動機構によって回転駆動される。
【００２８】
また、カム駆動装置２０は、２本の開口軸１０、１０のそれぞれに対応して設けられたカムレバー軸２１、２１を有する。各カムレバー軸２１は、カム軸２７と平行に延在する様に設けられ、カム軸２７と同様に、カムボックス２９に対し回転可能に支持されると共に、カムボックス２９から突出する様に設けられている。そして、各カムレバー軸２１には、カムレバー２５が相対回転不能に組み付けられている。因みに、各カムレバー２５は、カムレバー軸２１が挿通される貫通孔を有する基部と、カム板２３の回転軌跡に沿って基部から互いに逆方向へ円弧状に延びる一対のアームとから成る二股状に形成され、各アームの端部に回転自在されたカムフォロアを介して一対のカム板２３、２３と当接している。
【００２９】
このカム駆動装置２０におけるカム機構では、カム軸２７の回転駆動に伴うカム板２３、２３の回転により、各カムレバー２５が往復揺動駆動され、それに伴ってカムレバー軸２１が回動駆動される。従って、このカム機構は、積極カム機構（確動カム機構）を構成している。
【００３０】
各カムレバー軸２１は、突出部分の先端部（反経糸列側の端部）において、リンク機構３０により、対応する開口軸１０と連結されている。即ち、各リンク機構３０は、フレーム１の外側であってカムボックス２９よりも反経糸列側に配置され、その位置でカムレバー軸２１と開口軸１０とを連結している。なお、図示の例では、上下のそれぞれのカムレバー軸２１と開口軸１０とを連結する両リンク機構３０、３０は、上下方向に対称的に設けられている。
【００３１】
各リンク機構３０は、カムレバー軸２１に対し前記先端部において相対回転不能に固定されたクランクレバー３１と、開口軸１０に対し第２の軸受装置５０よりも突出した部分において相対回転不能に取り付けられた揺動レバー３３と、クランクレバー３１と揺動レバー３３とを連結するコンロッド３５とを主体として構成されている。なお、フレーム１の外側でのクランクレバー３１と揺動レバー３３の位置は、織機の幅方向において略同じ位置に設定されている。
【００３２】
各リンク機構３０について、クランクレバー３１及び揺動レバー３３は、その一端において、対応するカムレバー軸２１及び開口軸１０に対し、一方に形成されたキーと他方に形成されたキー溝を介し、所謂割締め構造によって固定されている。また、クランクレバー３１及び揺動レバー３３の他端は、コンロッド３５を受け入れるために二股状に形成されている。さらに、コンロッド３５は、その両端部に貫通孔を有し、その貫通孔に軸受（図示せず）が嵌装されている。そして、クランクレバー３１及び揺動レバー３３のそれぞれの他端は、コンロッド３５の両端部において上記軸受に嵌挿された連結ピン３１ａ、３３ａを介し、コンロッド３５と回転自在に連結されている。
【００３３】
前述のカム軸２７を回転駆動するための駆動機構は、主軸４を回転駆動するための主駆動モータ５を駆動源とする。図示の例では、この主駆動モータ５は、フレーム１の上面に対しブラケット等によって設置されている。また、フレーム１には、クランク軸６がフレーム１を貫通した状態で軸受によって回転自在に支持されている。そして、主軸４は、フレーム１の内側において、軸継手４ａによってクランク軸６と相対回転不能に連結されている。
【００３４】
主駆動モータ５の出力軸５ａにはモータプーリ５ｂが取り付けられており、一方でクランク軸６のフレーム１の外側の端部には駆動プーリ６ａが取り付けられている。さらに、モータプーリ５ｂと駆動プーリ６ａとが両プーリに巻き掛けられたＶベルト７ａによって連結されている。この構成により、主駆動モータ５の出力軸５ａの回転は、モータプーリ５ｂ、Ｖベルト７ａ及び駆動プーリ６ａを介してクランク軸６に伝達され、クランク軸６及び主軸４は主駆動モータ５によって回転駆動される。
【００３５】
駆動プーリ６ａには、フレーム１とは反対の側において、タイミングプーリ６ｂが取り付けられている。このタイミングプーリ６ｂは、駆動プーリ６ａにおけるクランク軸６の先端を受け入れる貫通孔周りに螺挿されたネジ部材により、駆動プーリ６ａに対し、同軸的で相対回転不能に固定されている。一方、カム駆動装置２０におけるカム軸２７の先端部には、タイミングプーリ２７ａが取り付けられている。そして、タイミングプーリ６ｂとタイミングプーリ２７ａとが両プーリに巻き掛けられたタイミングベルト７ｂによって連結されている。この構成により、主駆動モータ５によって主軸４が回転駆動されることに伴い、駆動プーリ６ａの回転が、タイミングプーリ６ｂ、タイミングベルト７ｂ及びタイミングプーリ２７ａを介してカム軸２７に伝達され、カム軸２７が回転駆動される。
【００３６】
以上で説明した織機の開口装置３において、開口軸１０は、前述の様に、フレーム１に固定された第１、第２の軸受装置４０、５０によって支持されている。また、図示の例では、両軸受装置４０、５０は、それぞれが２本の開口軸１０、１０の両方（以下、「開口軸群」とも言う。）に対応する単一の装置として形成されている。
【００３７】
第２の軸受装置５０は、２本の開口軸１０、１０のそれぞれに対応して形成された貫通孔５３、５３を有する軸受ケース５１を主体とし、各貫通孔５３、５３に嵌装されたボールベアリング等の軸受５５、５５を含む。そして、第２の軸受装置５０は、軸受ケース５１のフランジ部５１ａにおいて、複数のネジ部材によりフレーム１の外側の側面に固定されている。
【００３８】
また、本発明の軸受装置に相当する第１の軸受装置４０は、フレーム１に固定された支持部材４１と、支持部材４１に支持されると共に開口軸１０の開口レバー１４が取り付けられる位置を囲む様に設けられたケース部材４３とから成る軸受ケースを主体としている。そして、図示の例では、支持部材４１とケース部材４３とから成る軸受ケースに内装されたボールベアリング等の軸受により、開口軸１０の荷重点である開口レバー１４の取り付け位置（以下、単に「荷重点」と言う。）の両側を支持する構成となっている。
【００３９】
この第１の軸受装置４０における支持部材４１は、２本の開口軸１０、１０のそれぞれに対応して形成された貫通孔を有する胴部４１ａと、開口軸１０の軸線方向（以下、単に「軸線方向」と言う。）における胴部４１ａの両端部に一体形成されたフランジ部４１ｂ、４１ｂとを有する。なお、図示の構成では、胴部４１ａは、軸線方向における両側部（フランジ部４１ｂに近い部分）においては、２つの貫通孔４１ｃ、４１ｄが形成された縦断面（軸線方向と直交する方向の断面）略８字状に形成されているが、軸線方向における中間部は、両貫通孔が連通した縦断面略O字状に形成されている。そして、支持部材４１は、軸線方向におけるフレーム１に近い側（フレーム１側）のフランジ部４１ｂにおいて、フランジ部４１ｂに嵌挿されてフレーム１に螺合する複数のネジ部材（図示せず）により、フレーム１の内側の側面に対し固定されている。
【００４０】
また、図示の例において、支持部材４１における両側部（縦断面略８字状に形成された部分）には、その各貫通孔４１ｃ、４１ｄ内に軸受Ｂ１、Ｂ２が嵌装されている。即ち、支持部材４１は、軸線方向に離間して形成された２つ貫通孔４１ｃ、４１ｄのそれぞれにおいて軸受Ｂ１、Ｂ２を内装し、その貫通孔４１ｃ、４１ｄ及び軸受Ｂ１、Ｂ２を各開口軸１０に対応させて有している。
【００４１】
これらの軸受Ｂ１、Ｂ２について、フレーム１側の貫通孔４１ｃに内装された軸受Ｂ１は、フレーム１の近傍で開口軸１０を支持している。従って、この軸受Ｂ１は、軸受装置５０に内装された軸受５５と協働して、フレーム１の近傍で開口軸１０を支持する。一方、フレーム１から遠い側（反フレーム１側）の貫通孔４１ｄに内装された軸受Ｂ２は、開口軸１０における荷重点の近傍で開口軸１０を支持している。従って、この反フレーム１側の貫通孔４１ｄに内装された軸受Ｂ２が、本発明における軸受に相当する。
【００４２】
さらに、支持部材４１の反フレーム１側の端部には、各貫通孔４１ｄ毎に設けられた軸受押え４１ｆ、４１ｆが設けられている。各軸受押え４１ｆは、そのフランジ部において、支持部材４１ｃの反フレーム１側の端面に螺合する複数のネジ部材によって取り付けられている。また、各軸受押え４１ｆは、開口軸１０の直径よりも大きい径の貫通孔を有し、フランジ部よりも支持部材４１側の部分が貫通孔４１ｃに嵌挿されている。そして、各軸受押え４１ｆの貫通孔とそれに挿通された開口軸１０との間の間隙には、シール部材Ｓ１が介装されている。この様に、支持部材４１において、荷重点の近傍で開口軸１０を支持する軸受Ｂ２が内装される貫通孔４１ｄは、その外側の開口がシール部材Ｓ１によって閉塞されている。
【００４３】
一方、第１の支持部材４０におけるケース部材４３は、内部に開口軸群が通る空間を有すると共に、開口軸１０に取り付けられた開口レバー１４のための開口を有する筺状の部材である。より詳しくは、ケース部材４３は、上下壁及び経糸方向における反綜絖枠２側（後側）の側壁から成る胴部４３ｃ、並びに軸線方向における両側壁４３ｄ、４３ｄを一体形成した筺体である。また、ケース部材４３の経糸方向における綜絖枠２側（前側）の側壁部分は、開口軸１０に取り付けられた開口レバー１４のケース部材４３内からの突出を許容すると共に揺動運動を可能とするため、全体的に開放されている。因みに、図示の構成において、後側の側壁は、内部を通る開口軸１０に合せて円弧状に形成されている。従って、ケース部材４３の両側壁４３ｄ、４３ｄ間における胴部４３ｃ（上下壁及び後側の側壁から成る部分）の縦断面形状は、前面が開放された略３字状となっている。
【００４４】
また、ケース部材４３の軸線方向の両側壁４３ｄ、４３ｄには、２本の開口軸１０、１０のそれぞれを挿通するための貫通孔が形成されている。これらの貫通孔のうち、支持部材４１に近い側（支持部材４１側）の側壁４３ｄに形成された貫通孔４３ａは、支持部材４１に固定された軸受押え４１ｆのフランジ部よりも外側の部分の外径に合わせて形成されている。そして、この貫通孔４３ａに軸受押え４１ｆの上記部分が嵌挿された状態でケース部材４３と支持部材４１とが組み合わされ、その状態で、支持部材４１の反フレーム１側のフランジ部４１ｂに嵌挿されてケース部材４３の支持部材４１側の端部に螺合する複数のネジ部材（図示せず）により、フレーム１に固定された支持部材４１に対しケース部材４３が固定される。それにより、ケース部材４３は、支持部材４１を介してフレーム１に支持された状態となる。
【００４５】
また、ケース部材４３における支持部材４１よりも遠い側（反支持部材４１側）の側壁４３ｄは、支持部材４１側の側壁よりも肉厚に形成されており、その貫通孔４３ｂ内にボールベアリング等の軸受Ｂ３が嵌装されている。従って、開口軸１０における荷重点は、その両側において、支持部材４１に内装された反フレーム１側の軸受Ｂ２とケース部材４３に内装された軸受Ｂ３とで支持されている。よって、この軸受Ｂ３も、本発明における軸受に相当する。
【００４６】
さらに、このケース部材４３における軸受Ｂ３が内装される各貫通孔４３ｂには、軸線方向における軸受Ｂ３の両側において、開口軸１０との間の間隙にシール部材Ｓ２、Ｓ３が介装されている。より詳しくは、軸受Ｂ３が内装される貫通孔４３ｂの胴部４３ｃ側は、軸受Ｂ３が配設される部分よりも小径に形成されており、その部分にシール部材Ｓ２が内装されている。一方、ケース部材４３の反支持部材４１側の端部には、各貫通孔４３ｂ毎に軸受押え４３ｆが取り付けられている。この軸受押え４３ｆは、開口軸１０の直径よりも大きい径の貫通孔を有し、フランジ部よりもケース部材４３側の部分が貫通孔４３ｂに嵌挿されている。そして、各軸受押え４３ｆの貫通孔とそれに挿通された開口軸１０との間の間隙に、シール部材Ｓ３が介装されている。なお、各軸受押え４３ｆは、ケース部材４３における反支持部材４１側の端面に対し、フランジ部において複数のネジ部材で固定されている。
【００４７】
従って、ケース部材４３における反支持部材４１側の側壁４３ｄに形成された各貫通孔４３ｂは、その両側の開口がシール部材Ｓ２、Ｓ３で閉塞されており、その軸受Ｂ３が配設される領域が、緯入れに伴って水が飛散するフレーム１の内側の領域に対し隔離されている。即ち、図示の構成において、ケース部材４３は、各貫通孔４３ｂ内における軸受Ｂ３が配設される領域への水の侵入を防ぐ遮水構造を有している。
【００４８】
また、ケース部材４３に内装された軸受Ｂ３と協働で開口軸１０の荷重点を支持する軸受Ｂ２が内装される支持部材４１の貫通孔４１ｄは、前述の様に、軸受押え４１ｆの貫通孔がシール部材Ｓ１によって閉塞されており、それにより、ケース部材４３の内部空間との連通が断たれている。従って、図示の構成においては、ケース部材４３の内部空間はフレーム１の内側の領域と連通しているが、貫通孔４１ｄ内における軸受Ｂ２が配設される領域は、貫通孔４１ｄのケース部材４３側の開口が軸受押え４１ｆ及びシール部材Ｓ１によって閉塞されることにより、フレーム１の内側の領域に対し隔離されている。即ち、支持部材４１も、貫通孔４１ｄ内における軸受Ｂ２が配設される領域への水の侵入を防ぐ遮水構造を有している。
【００４９】
因みに、軸受Ｂ２が内装される貫通孔４１ｄは、フレーム１側において中間部にも開口する。しかし、その中間部の空間は、その両側の貫通孔４１ｃ、４１ｄのみに連通し、直接外部とは連通していない。従って、軸受Ｂ２が内装される貫通孔４１ｄは、フレーム１側においては、貫通孔４１ｃのフレーム１側の開口でのみ外部と連通する。よって、支持部材４１がフレーム１の側面に固定されると、フレーム１側の貫通孔４１ｃとフレーム１の内側の領域との連通が断たれるため、貫通孔４１ｄに対しフレーム１側の開口から水が侵入することは無い。
【００５０】
なお、以上の説明では、織機を織布巻取側から見て右側のフレーム１に支持された軸受装置について、その図面に基づき説明したが、左側の織機フレームに支持されて開口軸１０を支持する軸受装置についても、基本的には同じ構成であり、図示の構成と対称的なものとなっている。
【００５１】
また、図示の例では、開口軸１０における荷重点を支持する一対の軸受Ｂ２、Ｂ３は、一方の軸受Ｂ２が支持部材４１に内装され、他方の軸受Ｂ３がケース部材４３に内装されている。従って、図示の例においては、支持部材４１の一部、詳しくは、支持部材４１おける軸受Ｂ２が内装される貫通孔４１ｄが形成された部分も、本発明における「軸受部」として機能する。言い換えると、図示の例における「軸受部」は、ケース部材４３と支持部材４１における前記部分を加えたものである。そして、その場合、本発明における「支持部」は、支持部材４１の残りの部分となる。
【００５２】
そして、以上で説明した本発明に基づく軸受装置（第１の軸受装置４０）によれば、荷重点の近傍で開口軸１０を支持する軸受Ｂ２、Ｂ３が、フレーム１に固定された支持部を含む支持部材４１によって支持されているため、負荷等が支持部材４１を介して支持体としてのフレーム１に作用したとしても、それによってフレーム１に変形等が生じることは無いため、支持体の変形等に軸受装置の軸受部が変位することに起因する開口軸１０の撓みを防止することができる。
【００５３】
また、図示の構成では、支持部材４１が２つの円筒を組み合わせて開口軸群を囲繞する構造を有しており、開口軸１０に対し開口レバー１４を介して略上下方向に作用する負荷等に対し十分に対応し得る構造を有している。仮に、上記の負荷等の作用に伴って支持部が大きな変形等を起こした場合、それに伴って軸受部が変位し、軸受部に支持される開口軸に撓みが生じる。しかし、図示の構成の様に、支持部が上記の負荷等に十分に対応し得る構造を有していれば、負荷等が作用しても支持部に大きな変形等が生じることはないため、支持部の変形等に起因する開口軸１０の撓みも生じ難い。
【００５４】
さらに、図示の構成では、ケース部材４３についても、開口軸群を三方で囲む胴部４３ｃと両側壁４３ｄ、４３ｄとを一体形成した構造を有しており、負荷等に対し対応し得る構造を有している。従って、図示の構成の様に、支持部材４１よりも離間した位置で開口軸１０を支持する軸受Ｂ３が設けられているものにおいて、この軸受Ｂ３を介して負荷等がケース部材４３に作用しても、それに起因するケース部材４３の変形は生じ難く、ケース部材４３の変形に起因する開口軸１０の撓みも生じ難い。
【００５５】
なお、図示の構成では、第１の軸受装置４０が荷重点の両側に設けられた軸受Ｂ２、Ｂ３で開口軸１０を支持する構成となっている。それにより、開口軸１０における荷重点に掛かる負荷等は、二分されて各軸受Ｂ２、Ｂ３に作用する。従って、支持部材４１に固定されて支持されているケース部材４３に対し軸受Ｂ３を介して作用する曲げ荷重は、上記した負荷等を二分した大きさに相当するものとなる。一方で、支持部材４１については、軸線方向の一端でフレーム１に固定され、他端側でケース部材４３及び軸受Ｂ２、Ｂ３を介して作用する負荷等を支持するものであるため、支持部材４１に作用する曲げ加重は、ケース部材４３に作用するそれと比べてかなり大きいと言える。よって、ケース部材４３については、支持部材４１と比べて支持剛性が低くても影響は小さく、開口レバー１４のための開口を有する構成であっても問題は無い。
【００５６】
また、前記の様に荷重点の両側で開口軸１０を支持する構成とすれば、高い支持強度を得ることができるため、開口軸１０の撓みを有効に防止することができる。そして、これらの構成の組み合わせにより、軸受装置自体の剛性が高く、且つ高い支持強度を有する構成を得ることができる。
【００５７】
さらに、図示の構成においては、支持部材４１及びケース部材４３における軸受Ｂ２及びＢ３が内装される各貫通孔４１ｄ、４３ｂが、その開口部分をシール部材Ｓ１、Ｓ２、Ｓ３で閉塞された遮水構造を有しているため、各軸受Ｂ２、Ｂ３が左右のフレーム１間の領域で飛散する水の影響を受けず、これらの軸受Ｂ２、Ｂ３の長寿命化を図ることができる。
【００５８】
以上では、図１〜５に示された本発明に基づく織機の開口装置の構成について説明したが、本発明における軸受装置（第１の軸受装置４０）については、以下の様な変形も可能である。
【００５９】
１）図示の例では、支持部材４１おいて、開口軸１０における荷重点の近傍に配設される軸受Ｂ２に加え、フレーム１の近傍に配設される軸受Ｂ１を内装しているが、この軸受Ｂ１については省略可能である。
【００６０】
２）図示の例では、開口軸１０における荷重点の近傍に配設される軸受Ｂ２、Ｂ３のうち、フレーム１側の軸受Ｂ２については支持部材４１に内装されるものとしたが、これに代えて、ケース部材４３のフレーム１側の側壁４３ｄに形成された貫通孔４３ａに内装されるものとしてもよい。その場合、第１の軸受装置４０における支持部材４１が支持部として機能し、ケース部材４３が軸受部として機能する。
【００６１】
３）図示の例では、荷重点の両側に軸受Ｂ２、Ｂ３を配設して開口軸１０を支持するものとしたが、本発明はこれに限定されるものではなく、いずれか一方の軸受を省略し、荷重点の近傍においてはフレーム１側又は反フレーム１側の一方でのみ開口軸１０を支持する構成としてもよい。例えば、図示の構成において、ケース部材４３及びそれに内装される各部材を省略し、荷重点の近傍においては支持部材４１に内装された軸受Ｂ２でのみ開口軸１０を支持するものとしてもよい。また、図示の構成において、軸受Ｂ２を省略し、荷重点の近傍においては軸受Ｂ３のみで開口軸１０を支持する構成としてもよい。但し、その構成の場合、ケース部材４３における胴部４３ｃ及びフレーム１側の側壁４３ｄは本発明における支持部として機能する。
【００６２】
４）図示の例においては、軸受Ｂ２、Ｂ３に対する遮水構造として、軸受Ｂ２、Ｂ３が内装される貫通孔４１ｄ、４３ｂの各開口部分にシール部材Ｓ１、Ｓ２、Ｓ３を設け、各貫通孔４１ｄ、４３ｂ内における軸受Ｂ２、Ｂ３が配設される領域への水の侵入を遮る構成を採用しているが、これに加え、遮水構造としてケース部材４３の前側の開口を覆う遮水部材を追加してもよい。但し、このケース部材４３の開口部分においては、開口レバー１４が上下方向に往復動するため、この開口レバー１４の動きを許容する必要がある。その様な遮水部材としては、例えば、ゴム製等の弾性を有するシート材でケース部材４３の開口を覆い、開口レバー１４の位置にスリット（切り込み）を形成したもの等が考えられる。
【００６３】
さらに、より高い遮水性を有するものとして、例えば、伸縮性（弾性）を有するゴムで形成されたシート状のカバーや蛇腹状に形成されたベローズ形のカバー等を用いてケース部材４３の開口を覆い、開口レバー１４がそのカバーを貫通すると共にその貫通部分においてカバーが開口レバー１４の周面に固定されるもの等が考えられる。また、その様な遮水部材を採用することによってケース部材４３内への水の侵入を防止することができる場合には、貫通孔４１ｄ、４３ｂ内における軸受Ｂ２、Ｂ３よりも内側（ケース部材４３の内部空間側）のシール部材Ｓ１、Ｓ２を省略することができる。
【００６４】
なお、本発明で言う遮水構造については、軸受に対し飛散する水を完全に遮るものに限らず、ある程度の遮水効果を有するものであればよい。従って、図示の構成におけるケース部材４３の構造自体も遮水構造を有すると言える。即ち、図示のケース部材４３の構成では、開口軸群が通過する空間を三方で囲む様に胴部４３ｃが形成されているため、主に上方から飛散する水がその内部空間に入り込み難い構成となっており、ある程度の遮水効果を有すると言える。また、上記の様に、緯入れに伴う水は主に上方から飛散してくるため、ケース部材４３の後側の側壁及び下側壁については、所望の支持強度を維持できる程度において開口を形成してもよい。
【００６５】
５）支持部の構造について、図示の例では、支持部材４１の一部がそれに相当し、円筒材を組み合わせた形状であって、図４におけるＡ−Ａ断面を示す図６（ａ）の様に、縦断面で見て支持部が開口軸群を囲繞するものとなっている。しかし、本発明における支持部は、その様な構成に限らず、支持強度が許容できる範囲であれば、開口軸又は開口軸群の周りで部分的に軸受部（軸受部材４３）を支持するものであってもよい。
【００６６】
その様な支持部について、開口軸群周りの一部分でのみ軸受部を支持するものであってもよいが、前述の様に、各開口軸１０に掛かる負荷等は、主として略上下方向に作用するため、これに対応すべく、各開口軸１０に対し、その開口軸１０の中心を挟む上下の位置の少なくとも２位置で支持する構成とするのが好ましい。即ち、図６（ｂ）、（ｃ）に示す様に、支持部材４１における胴部４１ａを複数の胴部片４１ａ’で構成するものとし、各開口軸１０の軸芯を通る水平線Ｌ１に対し、その上方の位置と下方の位置のそれぞれに少なくとも１つの胴部片４１ａ’が存在する様に支持部４１を形成してもよい。
【００６７】
また、より好ましくは、開口軸１０の中心を通る鉛直線Ｌ２上における各開口軸１０の上下に支持部の一部（胴部片４１ａ’）が存在する構成とする。但し、その構成の場合において、図６（ｄ）に示す様に、上記鉛直線上における開口軸１０の上側の胴部片４１ａ’と下側の胴部片４１ａ’とは各開口軸１０に対し共通のものであってもよく、開口軸１０間に支持部の一部（胴部片４１ａ’）が存在するものには限らない。因みに、図４等で示された前述の例においても、上記鉛直線上における各開口軸１０の上下に支持部の一部が存在し、しかも、前述の例では、その上側の部分と下側の部分とが支持部の外周壁によって連続する構成となっている。従って、前述の例における支持部材４１の支持部は高い支持剛性を有する。
【００６８】
なお、支持部が前述の例のように開口軸群の周囲を覆うものでなく、荷重点のフレーム１側の軸受（Ｂ２）が内装された貫通孔（４１ｄ）がフレーム１の内側の領域と連通した状態となる場合には、その貫通孔のフレーム１側の開口部分にもシール部材を配設するのが好ましい。
【００６９】
６）図示の例では、支持部材４１及びケース部材４３は、いずれも一体形成されたものとなっているが、これに代えて、複数の部材（例えば、両側部と胴部とを別体形成する、胴部を複数の部材で構成する等）であってもよい。
【００７０】
７）図示の例では、軸受装置は、２本の開口軸１０、１０に共通した単一の装置（第１の軸受装置４０）としたが、本発明はこれに限らず、スペース的に可能であれば、各開口軸１０毎に独立した軸受装置を設けてもよい。
【００７１】
さらに、本発明については、次の様な変形も可能である。
【００７２】
本発明が前提とする織機の開口装置について、図示の例では、駆動装置としてカム駆動装置２０を採用し、このカム駆動装置がフレーム１の外側（反経糸列側）に配置されるものについて説明したが、これに限らず、前述の特許文献１において従来技術として開示されているクランク式の駆動装置等を採用した開口装置に対しても本発明を適用することができ、本発明においては駆動装置の形式は特に限定されない。
【００７３】
また、図示の例における開口装置では、２本の開口軸１０、１０を備え、それによって４枚の綜絖枠２に開口運動を与えるものとしたが、本発明が前提とする開口装置はそのような構成のものに限らず、３本以上の開口軸により、３枚以上の綜絖枠を駆動する様に構成されたものであってもよい。即ち、本発明においては、開口軸の数やそれによって駆動される綜絖枠の数は限定されない。
【００７４】
さらに、駆動装置の配置についても、前述の例の様なフレーム１の外側に限らず、リンク機構がフレーム１の内側に配置される様に設けられたものであってもよい。但し、開口軸の端部に端部に取り付けられる揺動レバー及び揺動レバーに連結されるコンロッド等を含むリンク機構がフレーム１の内側に存在する場合には、前述の例の軸受装置（第１の軸受装置４０）における支持部（支持部材４１）ではフレーム１の内側の側面に取り付けることができないため、次の様な実施形態を採用することが考えられる。
【００７５】
例えば、図７（ａ）に示す様に、支持部材４１における支持部のフレーム１側の部分を揺動レバー３３等が収容可能な大きさに形成し、支持部内に揺動レバー３３等を収容した状態でフレーム１に取り付けられる構成とする。または、図７（ｂ）に示す様に、フレーム１の側面に揺動レバー３３等を収容するカバー部材６０を取り付け、そのカバー部材６０の側面に支持部材４１を取り付ける構成とする。なお、後者の実施形態の場合、カバー部材６０はフレーム１の一部とみなされ、支持部材４１が取り付けられるカバー部材６０の側面がフレーム１の内側の側面となる。
【００７６】
なお、本発明の開口装置が適用される織機は水噴射式織機に限らず、他の無杼織機にも適用可能である。
【００７７】
さらに、本発明は、以上で説明したいずれの実施形態にも限定されるものではなく、本発明の趣旨を逸脱しない限りにおいて種々に変更することが可能である。
【符号の説明】
【００７８】
１      織機フレーム（フレーム）
２      綜絖枠
３      開口装置
４      主軸
５      主駆動モータ
６      クランク軸
１０    開口軸
１４    開口レバー
２０    カム駆動装置
２１    カムレバー軸
２３    カム板
２５    カムレバー
２７    カム軸
３０    リンク機構
３１    揺動レバー
３３    開口軸レバー
３５    コンロッド
４０    第１の軸受装置（軸受装置）
４１    支持部材
４３    ケース部材
５０    第２の軸受装置
５１    軸受ケース
５５    軸受
Ｂ１〜Ｂ３    軸受
Ｓ１〜Ｓ３    シール部材
【図１】
2010281017.tif 000003
【図２】
2010281017.tif 000004
【図３】
2010281017.tif 000005
【図４】
2010281017.tif 000006
【図５】
2010281017.tif 000007
【図６】
2010281017.tif 000008
【図７】
2010281017.tif 000009